(57)【要約】【課題】物を大量に入れた場合や重い物を入れた場合でも、底面の中央部がたわんでしまうことのない収納ボックスを提供すること。【解決手段】底面１０１ａと側壁１０１ｂにより箱状に形成されている収納ボックス１００であって、底面１０１ａの四隅にキャスター１０２を設けると共に、底面１０１ａの中央部にもキャスター１０２を設けたことを特徴とする収納ボックス１００を提供する。【選択図】図１
2004203399.tif 000002
【特許請求の範囲】
【請求項１】
側壁と底面とを有し、前記底面の四カ所に、前記底面を支持可能な四つの第一のキャスターを備える収納ボックスであって、
四つの前記第一のキャスターに囲まれた領域内に第二のキャスターを設けたことを特徴とする収納ボックス。
【請求項２】
前記底面は四角形に形成されており、
前記第一のキャスターは、前記底面の四隅に配置されており、
前記第二のキャスターは、四つの前記第一のキャスターに囲まれた四角形の領域内の中央部に設けられていることを特徴とする請求項１に記載の収納ボックス。
【請求項３】
前記第一及び第二のキャスターは着脱式にされていることを特徴とする請求項１又は２に記載の収納ボックス。
【請求項４】
前記領域内には、前記第二のキャスターが複数設けられていることを特徴とする請求項１乃至３の何れか一項に記載の収納ボックス。
【発明の詳細な説明】
【発明の属する技術分野】
本発明は、収納ボックスに関する。特に、底面にキャスターを設けた収納ボックスに関する。
【従来の技術】
従来から、衣料を収納するため、側壁と底面とを有する直方体の収納ボックスが使用されているが、従来の収納ボックス、特に、キャスター付の収納ボックスでは、底面の四隅にキャスターを設けていた（例えば、特許文献１〜３参照。）。
【特許文献１】
実開平６−４７１３８号公報
【特許文献２】
実開平６−５９２３１号公報
【特許文献３】
実開平６−８７２８２号公報
【発明が解決しようとする課題】
しかしながら、収納ボックスの底面の四隅にキャスターを設けて、この収納ボックスを支持するようにした構成では、この収納ボックスの中に衣類等を大量に入れた場合や、重い物を入れた場合に、収納ボックスの底面の中央部がたわみ、収納ボックスのゆがみや破損の原因となっていた。
そこで、本発明は、物を大量に入れた場合や重い物を入れた場合でも、底面の中央部がたわんでしまうことのない収納ボックスを提供することを目的とする。
【課題を解決するための手段】
以上の課題を解決するため、本発明は、側壁と底面とを有し、前記底面の四カ所に前記底面を支持可能な四つの第一のキャスターを備える収納ボックスであって、四つの前記第一のキャスターに囲まれた領域内に第二のキャスターを設けたことを特徴とする収納ボックスを提供する。
このように、底面の四カ所に設けた四つの第一のキャスターにより囲まれた領域内に第二のキャスターを設けることで、側壁と底面とを有する収納ボックス内に物を多く入れた場合や、重い物を入れた場合でも、これら四つの第一のキャスターに囲まれた領域がたわんでしまうことがなくなる。
特に、四角形に形成されている底面の四隅に四つの第一のキャスターが設けられている場合において、これら四つの第一のキャスターに囲まれた領域内の中央部に第二のキャスターを設けることにより、収納ボックスに物を多く入れた場合や、重い物を入れた場合でも、これら四つの第一のキャスターに囲まれた領域内の中央部がたわんでしまうことを防止することができる
なお、これらの第一のキャスターと第二のキャスターについては、着脱式にしておくことで、複数の収納ボックスを積み重ねる際に、キャスターを取り外すことにより、このキャスターが邪魔になることがなくなる。
また、これらの第一のキャスターと第二のキャスターについては、水平方向に３６０°回動することができるものを使用することで、収納ボックスを３６０°いずれの方向にも引きずることができるようになり便利である。
さらに、四つの第一のキャスターに囲まれた領域内の中央部に複数の第二のキャスターを設けておくことにより、これら四つの第一のキャスターに囲まれた領域を複数の第二のキャスターで支持することができるため、底面のたわみをより防止することができる。
【発明の実施の形態】
図１は、本発明の一実施形態に係る収納ボックス１００の下方斜視図である。
収納ボックス１００は、底面１０１ａと側壁１０１ｂとにより構成されている箱状の本体１０１と、本体１０１の底面１０１ａの四隅に設けられた四つの第一のキャスター１０２と、四つの第一のキャスター１０３に囲まれた四角形の領域の中央部に設けられた二つの第二のキャスター１０３と、により構成されている。
本体１０１は、合成樹脂からなり、底面１０１ａと側壁１０１ｂとにより箱状に構成されており、上方、即ち、図１のＸ方向から、衣類等の物を入れることができるようにされている。
なお、本実施形態では、本体１０１に蓋は設けていないが、蓋を設けることも可能である。
四角形に形成されている底面１０１ａの四隅には、四つの第一のキャスター１０２が設けられている。
第一のキャスター１０２は、底面１０１ａを支持することができる形状・大きさ・強度を有している。
また、第一のキャスター１０２により囲まれた領域の中央部には、二つの第二のキャスター１０３が設けられている。
本実施形態では、第二のキャスター１０３は、底面１０１ａの四隅に設けられている第一のキャスター１０２と同一の形状・大きさのものを用いているが、例えば、四隅に設けられている第一のキャスター１０２よりも小型のものを用いて、底面１０１ａが多少はたわむが、過度にたわむことを防止するように構成することもできる。
この場合、第二のキャスター１０３として、どの程度の大きさのキャスターを用いるかは、底面１０１ａの破損やゆがみを防止し得る範囲で、適時選択することができる。
また、本実施形態では、底面１０１ａの中央部には、第二のキャスター１０３を一つ設けたが、例えば、長さ方向に並べて、又は、幅方向に並べて、第二のキャスター１０３を複数設けることもできる。
さらに、図２に表されている収納ボックス３００のように、四つの第二のキャスター１０３を設けることもできる。
このように、底面１０１ａの中央部に複数の第二のキャスター１０３を設けることで、底面１０１ａの中央部に働く力を支え、底面１０１ａが中央部でたわんでしまうことを防止することができる。
なお、本実施形態では、第一のキャスター１０２及び第二のキャスター１０３は、底面１０１ａに固定されているが、例えば、図３に表されているように（ここでは、第一のキャスター２０２について図示して説明するが、第二のキャスターについても同様に構成することで着脱自在とすることができる。）、底面２０１ａに嵌合用凹部２０４を設けておき、第一のキャスター２０２に嵌合用凸部２０５を設けておくことにより、嵌合用凹部２０４に嵌合用凸部２０５を嵌合させることができるようにしておくことで、第一のキャスター２０２を底面２０１ａに対して、着脱自在にすることができる。
また、第一のキャスター２０２及び第二のキャスター２０３については、図４に表されているように、ローラー３０６と嵌合用凸部３０５との間の首部３０７に回動自在のジョイント部３０８を設けることにより、ローラー３０６を水平方向に３６０°回動自在とすることができるようにすることもできる。
このように、ローラー３０６を水平方向に３６０°回動自在にすることで、収納ボックスをいずれの方向にも引きずることができ、便利である。
【発明の効果】
以上のように本発明を構成したので、物を大量に入れた場合や重い物を入れた場合でも、底面の中央部がたわんでしまうことのない収納ボックスを提供することができる。
【図面の簡単な説明】
【図１】一実施形態に係る収納ボックス１００の下方斜視図。
【図２】収納ボックス１００の変形例。
【図３】キャスターの変形例。
【図４】キャスターの変形例。
【符号の説明】
１００、２００  収納ボックス
１０１  本体
１０２、２０２  第一のキャスター
１０３  第二のキャスター
２０４  嵌合用凹部
２０５  嵌合用凸部
【図１】
2004203399.tif 000003
【図２】
2004203399.tif 000004
【図３】
2004203399.tif 000005
【図４】
2004203399.tif 000006